【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】  入力される印刷データに基づいて記録位置でプリントヘッドを主走査させると共に印刷用紙を副走査させることにより印刷を行うプリンタであって、
前記主走査による印刷に先行して所定量ずつ生成した印刷用イメージデータを格納するイメージデータ格納手段と、
前記印刷用紙を副走査方向上流側で予め収納しておく用紙収納手段と、
前記記録位置の副走査方向上流側近傍に存する紙送りローラと前記用紙収納手段との間に設けられ、前記印刷用紙の有無を検出する用紙検出手段と、
前記イメージデータ格納手段に格納された前記印刷用イメージデータを前記プリントヘッドに供給し、前記主走査及び副走査を行わせる印刷制御手段と、
前記印刷用紙を前記記録位置から排出する排紙手段とを備え、２頁以上の印刷用紙に亘る印刷を実行するプリンタにおいて、
更に、前記排紙手段による排出前に次頁の印刷データの有無を判断する判断手段と、
前記判断手段により次頁の印刷データの有無を判断し、次頁の印刷データが有ると判断された場合には、前記用紙検出手段が先の印刷用紙の末端を検出したら、先の印刷用紙に対する印刷処理を続行しつつ該先の印刷用紙と重ならないよう次の印刷用紙を前記用紙収納手段から給紙し、更に、前記排紙手段による先の印刷用紙の排出と並行して前記紙送りローラによる次の印刷用紙の前記記録位置内への供給を行う給排紙制御手段とを有し、
前記給排紙制御手段は、前記次の印刷用紙を給紙してから所定時間経過しても、前記用紙検出手段が前記次の印刷用紙の先端を検出していない場合には、前記先の印刷用紙に対する印刷のみ完了させることを特徴とするプリンタ。
【請求項２】  請求項１記載のプリンタにおいて、前記判断手段は、前記イメージデータ格納手段に格納されている前記印刷用イメージデータから前記次頁の印刷データの有無を判断することを特徴とするプリンタ。
【請求項３】  請求項１記載のプリンタにおいて、前記入力される印刷データ内に印刷枚数情報を含み、前記判断手段は、該印刷枚数情報から前記次頁の印刷データの有無を判断することを特徴とするプリンタ。
【請求項４】  請求項１〜３記載のプリンタにおいて、更に、前記先の印刷用紙への印刷の完了を検出する印刷完了検出手段を備え、前記給排紙制御手段は、前記次の印刷用紙を給紙した後所定時間経過しても、該印刷完了検出手段が前記先の印刷用紙への印刷の完了を検出しない場合には、前記次の印刷用紙を待機させることを特徴とするプリンタ。
【請求項５】  請求項４記載のプリンタに
おいて、前記印刷完了検出手段は、前記記録位置の副走査方向下流側近傍に設けられ、前記先の印刷用紙の末端を検出可能な用紙検出センサから成ることを特徴とするプリンタ。
【請求項６】  印刷枚数情報を含む印刷命令を送信可能なホストと、該ホストから受信した印刷命令に基づいて記録位置でプリントヘッドを主走査させると共に印刷用紙を副走査させることにより、２頁以上の印刷用紙に亘る印刷を実行可能なプリンタとを含む印刷システムにおいて、
前記プリンタは、前記印刷用紙を副走査方向上流側で予め収納しておく用紙収納部と、該用紙収納部と前記記録位置の副走査方向上流側近傍に存する紙送りローラとの間に設けられ前記印刷用紙の有無を検出する用紙検出センサとを備え、前記ホストから受信した印刷命令内に含まれる印刷枚数情報により次頁の印刷データが有ると判断した場合に、前記用紙検出センサが先の印刷用紙の末端を検出したら、先の印刷用紙に対する印刷処理を続行しつつ、該先の印刷用紙と重ならないよう次の印刷用紙を前記用紙収納部から給紙し、更に、先の印刷用紙の前記記録位置からの排出と並行して前記紙送りローラによる次の印刷用紙の前記記録位置内への供給を行い、
前記次の印刷用紙を給紙してから所定時間経過しても、前記用紙検出センサが前記次の用紙の先端を検出していない場合には、前記先の印刷用紙に対する印刷のみ完了させることを特徴とする印刷システム。
【請求項７】  予め用紙収納部に収納された印刷用紙を記録位置まで給紙し、該記録位置において、印刷データに基づいてプリントヘッドを主走査させると共に前記印刷用紙を副走査させることにより印刷を行った後、該記録位置から前記印刷用紙を排紙するプリンタであって、少なくとも前記主走査による印刷に先行して所定量ずつ生成した印刷用イメージデータを格納するイメージバッファと、前記用紙収納部から前記印刷用紙を給紙するための給紙ローラと、該給紙ローラより副走査方向下流側で且つ前記記録位置の副走査方向上流側近傍に存在し前記印刷用紙を副走査させるための紙送りローラと、前記記録位置より下流側に設けられ前記印刷用紙を前記記録位置から排出するための排紙ローラと、前記用紙収納部と前記紙送りローラとの間に設けられ前記印刷用紙の有無を検出する用紙検出センサとを備えるプリンタにおいて、２頁以上の印刷用紙に亘る印刷を実行する場合の先の印刷用紙と次の印刷用紙の給排紙方法であって、
先の印刷用紙の印刷中に次の印刷用紙を前記給紙ローラからの頭出し位置まで供給するステップと、
前記イメージバッファ内に展開されている前記印刷用イメージデータから次頁の印刷データの有無を判断する判断ステップと、
前記用紙検出センサにより先の印刷用紙の末端を検出するステップと、
前記判断ステップにおいて、次頁の印刷データが有ると判断された場合には、先の印刷用紙に対する印刷処理を続行しつつ、前記用紙検出センサによる先の印刷用紙の末端検出をトリガとして、該先の印刷用紙と重ならないよう次の印刷用紙を前記用紙収納部から給紙するステップとを有することを特徴とする給排紙方法。
【請求項８】  請求項７記載の給排紙方法において、更に、
前記排紙ローラによる先の印刷用紙の前記記録位置からの排出と並行して前記次の印刷用紙を前記紙送りローラにより前記記録位置内へ供給するステップを有することを特徴とする給排紙方法。
【請求項９】  請求項７記載の給排紙方法において、更に、
前記次の印刷用紙を給紙し所定時間経過した後、前記先の印刷用紙への印刷を完了したか否かを判定する印刷完了判定ステップと、
該印刷完了判定ステップにおいて、前記先の印刷用紙への印刷を完了していないと判定した場合には、前記次の印刷用紙を待機させ、前記先の印刷用紙をそのまま排出するステップを有することを特徴とする給排紙方法。
【請求項１０】  印刷用紙を記録位置まで給紙し、該記録位置において、印刷データに基づいてプリントヘッドを主走査させると共に前記印刷用紙を副走査させることにより印刷を行った後、該記録位置から前記印刷用紙を排紙するプリンタにおいて、２頁以上の印刷用紙に亘る印刷を実行する場合の先の印刷用紙と次の印刷用紙の給排紙方法であって、少なくとも先の印刷用紙を供給するステップと、
第１の用紙検出センサが先の印刷用紙の末端を検出したか否かを判断するステップと、
第１の用紙検出センサが先の印刷用紙の末端を検出した場合に、先の印刷用紙はそのまま印刷を続け、次の印刷用紙を非同期に給紙するステップと、
次の印刷用紙を非同期に給紙し始めた後、所定時間経過後、第１の用紙検出センサが次の印刷用紙の先端を検出したか否かを判断するステップと、
第１の用紙検出センサが次の印刷用紙の先端を検出していない場合に、先の印刷用紙の印刷を完了させ、次の印刷用紙の印刷を再スタートするステップとを有することを特徴とする給排紙方法。
【請求項１１】  印刷用紙を記録位置まで給紙し、該記録位置において、印刷データに基づいてプリントヘッドを主走査させると共に前記印刷用紙を副走査させることにより印刷を行った後、該記録位置から前記印刷用紙を排紙するプリンタにおいて、２頁以上の印刷用紙に亘る印刷を実行する場合の先の印刷用紙と次の印刷用紙の給排紙方法であって、少なくとも先の印刷用紙を供給するステップと、
第１の用紙検出センサが先の印刷用紙の末端を検出したか否かを判断するステップと、
第１の用紙検出センサが先の印刷用紙の末端を検出した場合に、先の印刷用紙はそのまま印刷を続け、次の印刷用紙を非同期に給紙するステップと、
先の印刷用紙の印刷を開始し所定時間経過した後、第２の用紙検出センサが先の印刷用紙の印刷完了を検出したかどうかを判断するステップと、
先の印刷用紙の印刷完了を検出していないと判断した場合に、次の印刷用紙をそのまま待機させるステップと、
所定時間経過した後、再び、第２の用紙検出センサが先の印刷用紙の印刷完了を検出したかどうかを判断するステップと、
先の印刷用紙の印刷完了を検出したと判断した場合には、次の印刷用紙を印刷領域へ給送して印刷する一方、先の印刷用紙の印刷完了を検出していないと判断した場合には、先の印刷用紙はそれ以上印刷することなく、そのまま排紙するステップとを有することを特徴とする給排紙方法。
【請求項１２】  請求項１１記載の給排紙方法において、前記第２の用紙検出センサが先の印刷用紙の印刷完了を検出したかどうかを、該第２の用紙検出センサが先の印刷用紙の末端を検出したかどうかにより判断することを特徴とする給排紙方法。
【手続補正２】
【補正対象書類名】明細書
【補正対象項目名】００１１
【補正方法】変更
【補正の内容】
【００１１】
【課題を解決するための手段】  上記の課題を解決するため、本発明のプリンタは、判断手段により次頁の印刷データが有ると判断された場合に、先の印刷用紙に対する印刷処理を続行しつつ、用紙検出手段により先の印刷用紙の末端が検出されたら、該先の印刷用紙と重ならないよう次の印刷用紙を用紙収納手段から給紙し、その後、排紙手段による先の印刷用紙の排出と並行して紙送りローラによる次の印刷用紙の記録位置内への供給を行い、次の印刷用紙を給紙してから所定時間経過しても、用紙検出手段が次の印刷用紙の先端を検出していない場合には、先の印刷用紙に対する印刷のみ完了させることを特徴とする。
【手続補正３】
【補正対象書類名】明細書
【補正対象項目名】００１２
【補正方法】変更
【補正の内容】
【００１２】
ここで、用紙検出手段により先の印刷用紙の末端が検出されたら、次の印刷用紙を用紙収納手段から給紙するとは、少なくとも先の印刷用紙の印刷のための紙送り時に、次の印刷用紙の給紙が開始されることである。
【手続補正４】
【補正対象書類名】明細書
【補正対象項目名】００１３
【補正方法】変更
【補正の内容】
【００１３】
また、「先の印刷用紙と重ならないよう」給紙するとは、次の印刷用紙の供給速度が、先の印刷用紙の送り出し速度以下に保たれることを意味する。
【手続補正５】
【補正対象書類名】明細書
【補正対象項目名】００１４
【補正方法】変更
【補正の内容】
【００１４】
即ち、本発明の請求項１記載のプリンタは、入力される印刷データに基づいて記録位置でプリントヘッドを主走査させると共に印刷用紙を副走査させることにより印刷を行うプリンタであって、前記主走査による印刷に先行して所定量ずつ生成した印刷用イメージデータを格納するイメージデータ格納手段と、前記印刷用紙を副走査方向上流側で予め収納しておく用紙収納手段と、前記記録位置の副走査方向上流側近傍に存する紙送りローラと前記用紙収納手段との間に設けられ、前記印刷用紙の有無を検出する用紙検出手段と、前記イメージデータ格納手段に格納された前記印刷用イメージデータを前記プリントヘッドに供給し、前記主走査及び副走査を行わせる印刷制御手段と、前記印刷用紙を前記記録位置から排出する排紙手段とを備え、２頁以上の印刷用紙に亘る印刷を実行するプリンタにおいて、更に、前記排紙手段による排出前に次頁の印刷データの有無を判断する判断手段と、前記判断手段により次頁の印刷データの有無を判断し、次頁の印刷データが有ると判断された場合には、前記用紙検出手段が先の印刷用紙の末端を検出したら、先の印刷用紙に対する印刷処理を続行しつつ該先の印刷用紙と重ならないよう次の印刷用紙を前記用紙収納手段から給紙し、更に、前記排紙手段による先の印刷用紙の排出と並行して前記紙送りローラによる次の印刷用紙の前記記録位置内への供給を行う給排紙制御手段とを有し、前記給排紙制御手段は、前記次の印刷用紙を給紙してから所定時間経過しても、前記用紙検出手段が前記次の印刷用紙の先端を検出していない場合には、前記先の印刷用紙に対する印刷のみ完了させることを特徴とする。
【手続補正６】
【補正対象書類名】明細書
【補正対象項目名】００１６
【補正方法】変更
【補正の内容】
【００１６】
また、上記の課題を解決するため、本発明のプリンタは、前記次の印刷用紙を給紙した後所定時間経過しても、前記先の印刷用紙への印刷の完了を検出しない場合には、前記印刷用紙を待機させる。
【手続補正７】
【補正対象書類名】明細書
【補正対象項目名】００１７
【補正方法】変更
【補正の内容】
【００１７】
即ち、請求項４記載のプリンタは、上記請求項１〜３記載のプリンタにおいて、更に、前記先の印刷用紙への印刷の完了を検出する印刷完了検出手段を備え、前記給排紙制御手段は、前記次の印刷用紙を給紙した後所定時間経過しても、該印刷完了検出手段が前記先の印刷用紙への印刷の完了を検出しない場合には、前記次の印刷用紙を待機させることを特徴とする。